(57)【要約】      （修正有）【課題】厨房内に入り込んだ鼠が排水用ダクトをかじって孔が開くのを未然に防ぐことができる厨房排水用防鼠ダクトを提供する。【解決手段】柔軟性を有する合成樹脂テープを、その端同士が重なり合うように螺旋状に巻き、重なり合った部分が溶着もしくは接着されて可撓性ホース３を形成し、当該可撓性ホースの外周面に断面がコの字形もしくはＣ形またはＥ形の硬質合成樹脂部材をその開口部分８が前記可撓性ホース３の表面側に位置する状態で、隣接する硬質合成樹脂部材の間の隙間を４ミリメートル以下となるように螺旋状に巻き付けて可撓性ホースの表面部分に溶着もしくは接着により固定するとともに、前記可撓性ホース及び硬質合成樹脂の露出する表面部分にカプサイシン層もしくはカプサイシンを含有する樹脂層を形成した。【選択図】図３
0003154263.tif 000002
【実用新案登録請求の範囲】
【請求項１】
柔軟性を有する合成樹脂テープを、その端同士が重なり合うように螺旋状に巻き、重なり合った部分が溶着もしくは接着されて可撓性ホースを形成し、当該可撓性ホースの外周面に断面がコの字形もしくはC形またはE形の硬質合成樹脂部材をその開口部分が前記可撓性ホースの表面側に位置する状態で、隣接する硬質合成樹脂部材の間の隙間を４ミリメートル以下となるように螺旋状に巻き付けて可撓性ホースの表面部分に溶着もしくは接着により固定して保護用芯材を形成するとともに、前記可撓性ホース及び保護用芯材の露出する表面部分にカプサイシン層もしくはカプサイシンを含有する樹脂層を形成したことを特徴とする厨房排水用防鼠ダクト。
【請求項２】
断面がコの字形もしくはC形またはE形の硬質合成樹脂部材からなる保護用芯材の、可撓性ホースの表面からの高さを２ミリメートルから３．５ミリメートルの範囲にしたことを特徴とする請求項１に記載の厨房排水用ダクト。
【請求項３】
カプサイシン層もしくはカプサイシンを含有する樹脂層が、可撓性ホース及び硬質合成樹脂の露出する表面部分に噴射若しくは塗布により形成されている請求項１または請求項２に記載の厨房排水用防鼠ダクト。
【請求項４】
柔軟性を有する合成樹脂テープの端同士が重なり合うつなぎ目部分が、保護用芯材で隠れる位置になるように保護用芯材を設けたこと特徴とする請求項１乃至請求項３のいずれか１項に記載の厨房排水用防鼠ダクト。
【考案の詳細な説明】
【技術分野】
【０００１】
本考案は、レストランや食堂、家庭等における厨房の排水用の防鼠ダクトに関するものである。
【背景技術】
【０００２】
一般に、厨房における排水経路に対しては、外部からの侵入阻止に関するものが多く提案されている（例えば特許文献１）。
ところが、鼠は、必ずしも排水経路のみから侵入するとは限らず、例えば人の出入り口や、種々の隙間からも侵入する。
斯くして、一旦、厨房内に鼠が侵入すると、温水等が流される排水ダクト近傍に巣食い、排水用ダクトをかじって孔を空けたりする。
排水用ダクトに孔が開いてしまうと、此処から排水が漏出し、周囲を汚染し、衛生上に問題が生じる
【先行技術文献】
【特許文献】
【０００３】
【特許文献１】特開平１０−３０２７２７号公報
【考案の概要】
【考案が解決しようとする課題】
【０００４】
本考案は上記問題点に鑑み提案されたもので、厨房内に入り込んだ鼠が排水用ダクトをかじって孔が開くのを未然に防ぐことができる厨房排水用防鼠ダクトを提供できるようにすることを目的とするものである。
【課題を解決するための手段】
【０００５】
上記目的を達成するために本考案に係る厨房排水用防鼠ダクトは、柔軟性を有する合成樹脂テープを、その端同士が重なり合うように螺旋状に巻き、重なり合った部分が溶着若しくは接着されて可撓性ホースを形成し、当該可撓性ホースの外周面に断面がコの字形もしくはC形の硬質合成樹脂部材をその開口部分が前記可撓性ホースの表面側に位置する状態で、隣接する硬質合成樹脂部材の間の隙間を４ミリメートル以下となるように螺旋状に巻き付けて可撓性ホースの表面部分に溶着もしくは接着により固定して保護用芯材を形成するとともに、前記可撓性ホース及び保護用芯材の露出する表面部分にカプサイシン層もしくはカプサイシンを含有する樹脂層を形成したことを最も主要な特徴とするものである。
【０００６】
また、本考案にかかる厨房排水用防鼠ダクトでは、断面がコの字形もしくはC形またはE形またはE形の硬質合成樹脂部材からなる保護用芯材の、可撓性ホースの表面からの高さを２ミリメートルから３．５ミリメートルの範囲にしたことカプサイシン層もしくはカプサイシンを含有する樹脂層が、可撓性ホース及び硬質合成樹脂の露出する表面部分に噴射若しくは塗布により形成されていることや、柔軟性を有する合成樹脂テープの端同士が重なり合うつなぎ部分が、保護用芯材で隠れる位置になるように保護用芯材を設けるようにしたことも特徴とするものである。
【考案の効果】
【０００７】
本考案の厨房排水用防鼠ダクトによれば、柔軟性を有する合成樹脂テープを、その端同士が重なり合うように螺旋状に巻き、重なり合った部分が溶着もしくは接着されて可撓性ホースを形成し、当該可撓性ホースの外周面に断面がコの字形もしくはC形またはE形の硬質合成樹脂部材をその開口部分が前記可撓性ホースの表面側に位置する状態で、隣接する硬質合成樹脂部材の間の隙間を４ミリメートル以下となるように螺旋状に巻き付けて可撓性ホースの表面部分に溶着もしくは接着により固定して保護用芯材を形成するとともに、前記可撓性ホース及び保護用芯材の露出する表面部分にカプサイシン層もしくはカプサイシンを含有する樹脂層を形成するようにしてある。
【０００８】
これにより、厨房内に入り込んだ鼠は、排水用防鼠ダクトを齧る場合、先ず、排水用防鼠ダクトの硬質合成樹脂部材に歯を立てる。
すると、鼠の口や舌が、可撓性ホース及び硬質合成樹脂部材からなる保護用芯材の露出する表面部分のカプサイシン層に触れ、その辛さや痛さを知らされることになり、硬質合成樹脂部材同士間が４ミリメートル以下と狭くしてあることとも相俟って、鼠の歯が柔軟性を有する合成樹脂テープで形成された可撓性ホースの表面に届かないうちに、齧るのを止めざるを得なくなる。
したがって、鼠の齧りにより厨房排水用の防鼠ダクトに孔が開くのを未然に防ぐことができる利点がある。
【０００９】
カプサイシン層もしくはカプサイシンを含有する樹脂層を、可撓性ホース及び硬質合成樹脂の露出する表面部分に噴射若しくは塗布により形成するようにしたものでは、カプサイシンもしくはこれを含有する樹脂の使用量を必要最小限にして、厨房排水用防鼠ダクトを安価で経済的に提供することができる利点がある。
【００１０】
さらに、柔軟性を有する合成樹脂テープの端同士が重なり合う部分が、保護用芯材で隠れる位置になるように保護用芯材を設けるようにしたものでは、重なり合う継ぎ目が露出せず見栄えがよくなるだけでなく、裂け易い重なり合うつなぎ目部分が保護用芯材で保護されるので耐久性が大幅に向上するという利点もある。
【図面の簡単な説明】
【００１１】
【図１】は本考案にかかる厨房排水用防鼠ダクトの一部を切り欠いた斜視図である。
【図２】は本考案にかかる厨房排水用防鼠ダクトの製造工程の概略を示す斜視図である。
【図３】は本考案にかかる厨房排水用防鼠ダクトの部分拡大断面図である。
【考案を実施するための形態】
【００１２】
以下、本考案の厨房排水用防鼠ダクトにかかる最も好ましい実施の形態を図面に基づいて説明する。
【実施例】
【００１３】
図１は本考案にかかる厨房排水用防鼠ダクトの一部を切り欠いた状態の斜視図、図２はダクトの製造工程の概略を示す斜視図であって、図中符号１は厨房排水用防鼠ダクトを全体的に示す。
【００１４】
この厨房排水用防鼠ダクト１は、柔軟性を有する軟質の合成樹脂テープ２を螺旋状に巻いて形成された可撓性ホース３と、この可撓性ホース３の外周に螺旋状に巻き付けられた硬質の合成樹脂材４からなる保形用芯材５と、この保形用芯材５及び可撓性ホース３の露出する表面部分に形成されるカプサイシン層６とからなる。
【００１５】
上記可撓性ホース３は、ポリ塩化ビニルや酢酸ビニル等の軟質合成樹脂からなる合成樹脂原料を、テープ状に引き出し、軟質の合成樹脂のテープ２が軟化している状態の高温で、図示を省略した成形用回転芯部材に、その一側縁部分が重なり合う状態で巻きつけ、重なり合うつなぎ目部分７が溶融することにより、筒状に形成されている。
【００１６】
可撓性ホース３の外周面に設けられる保形用芯材５は、上記可撓性ホース３を形成した合成樹脂と同種の樹脂でその硬度が高い樹脂材料を使用してあり、高温で軟化している状態の断面が角形Cの字に引き出し若しくは押し出し成型された樹脂部材を、前記可撓性ホース３を形成する前記テープが重なり合って融合したつなぎ目部分７を、角形Cの字の開口部分８が覆う位置に、高温の状態で螺旋状に巻きつけることにより、可撓性ホース３の外周に溶着して固定してある（図１及び図３参照）。
【００１７】
此処で、図３に示すように、断面が角形Cの字形の保形用芯材５は、その幅Wが６ミリメートルで高さHが２ミリメートル、保形用芯材間の隙間Sが３ミリメートルにしてあるが、この幅W、高さH、隙間Sは、次のように変更することができる。
すなわち、前記幅Wは、可撓性ホース３を形成する前記テープの重なり合うつなぎ目部分７に位置させるために、テープの幅W１に連動して変更することができる。
【００１８】
また、保形用芯材５の高さHは鼠の歯が軟質のテープで形成された可撓性ホース３表面に届かないようにするために、隙間Sと関連する（例えば隙間Sが狭ければ高さHは低くすることができる）が、隙間Sを狭くすると、保形用芯材５の樹脂原料が多量に必要となり重く、不経済になるだけでなく、ダクトが硬くなり、屈曲性が損なわれることになる。
したがって、上記隙間Sは２ミリメートル〜４ミリメートルの範囲、高Hは２ミリメートル〜４ミリメートルの範囲にすることが望ましい。
【００１９】
そして、保形用芯材５及び可撓性ホース３の露出する表面部分に形成されるカプサイシン層６は、図２に示すように、可撓性ホース３の外周面に保護用芯材５が巻き付けられた後のダクト９の送り出し方向下手側部分に設置された噴射ノズル１０からカプサイシンをアルコール等に溶解した液体を、回転するダクト９の表面に噴霧することにより、図３に示すように可撓性ホース３及び保護用芯材５の露出する表面部分にカプサイシン層６が形成される。
尚、噴射ノズル１０から噴射するカプサイシン溶液は、必ずしも脂溶性のカプサイシンをアルコール等に溶解したものに限られず、脂溶性の結晶であるカプサイシンを合成樹脂に混練したものを吹き付けるようにしてもよく。
さらに、上記噴射ノズル１０に換えて、刷毛等の塗布により、カプサイシン層６を形成することもできる。
【００２０】
上記のようにして形成された厨房排水用防鼠ダクト１は、図示を省略したが例えば家庭のシンクの排水口とフロアの形成された放水口との間に装着して使用する。
こうして使用している時に、屋内に侵入した鼠が、この厨房排水用防鼠ダクト１を齧ろうとしてこの厨房排水用防鼠ダクト１の硬質合成樹脂部材４に歯を立てる。
すると、鼠の口や舌が、硬質合成樹脂部材４からなる保護用芯材３の露出する表面部分に形成されたカプサイシン層６に触れ、その辛さや痛さを伴う感触を直接知らされることになる。
【００２１】
此処で、保形用芯材５同士の隙間Sならびにその高さHが、厨房排水用防鼠ダクト１を齧ろうとする鼠の歯が可撓性ホース３に届かないようにしてあることから、上記辛さや痛さを伴う感触により、可撓性ホース３の表面に届かないうちに、齧るのを止めざるを得なくなる。
これにより、屋内に侵入した鼠の齧りによる厨房排水用防鼠ダクト１の穿孔が防止される。
尚、上記実施の形態では、可撓性ホース３の外周面に設けられる保形用芯材５を、角形Cの字に形成してあるが、コの字形またはE形あるいはU形にすることもできるのはもちろんのことである。
【符号の説明】
【００２２】
１・・・厨房排水用防鼠ダクト
２・・・合成樹脂テープ
３・・・可撓性ホース
４・・・硬質合成樹脂部材
５・・・保形用芯材
６・・・カプサイシン層
７・・・つなぎ目部分
８・・・開口部分
９・・・ダクト
１０・・・噴射ノズル
【図１】
0003154263.tif 000003
【図２】
0003154263.tif 000004
【図３】
0003154263.tif 000005
【手続補正書】
【提出日】平成21年7月30日(2009.7.30)
【手続補正１】
【補正対象書類名】実用新案登録請求の範囲
【補正対象項目名】全文
【補正方法】変更
【補正の内容】
【実用新案登録請求の範囲】
【請求項１】
柔軟性を有する合成樹脂テープを、その端同士が重なり合うように螺旋状に巻き、重なり合った部分が溶着もしくは接着されて可撓性ホースを形成し、当該可撓性ホースの外周面に断面がコの字形もしくはC形またはE形の硬質合成樹脂部材をその開口部分が前記可撓性ホースの表面側に位置する状態で、隣接する硬質合成樹脂部材の間の隙間を４ミリメートル以下となるように螺旋状に巻き付けて可撓性ホースの表面部分に溶着もしくは接着により固定して保護用芯材を形成するとともに、前記可撓性ホース及び保護用芯材の露出する表面部分にカプサイシン層もしくはカプサイシンを含有する樹脂層を形成したことを特徴とする厨房排水用防鼠ダクト。
【請求項２】
断面がコの字形もしくはＣ形またはＥ形の硬質合成樹脂部材からなる保護用芯材の、可撓性ホースの表面からの高さを２ミリメートルから３．５ミリメートルの範囲にしたことを特徴とする請求項１に記載の厨房排水用防鼠ダクト。
【請求項３】
カプサイシン層もしくはカプサイシンを含有する樹脂層が、可撓性ホース及び硬質合成樹脂の露出する表面部分に噴射若しくは塗布により形成されている請求項１または請求項２に記載の厨房排水用防鼠ダクト。
【請求項４】
柔軟性を有する合成樹脂テープの端同士が重なり合うつなぎ目部分が、保護用芯材で隠れる位置になるように保護用芯材を設けたこと特徴とする請求項１乃至請求項３のいずれか１項に記載の厨房排水用防鼠ダクト。